【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
土工機（３）の工具（２）用に意図された歯システム（１）であって、前記工具（２）に取り付けられたホルダ（４）と、前記ホルダ（４）に対してそれに着脱自在に配設され、実際の排土（Ｗ）用に意図された交換可能な磨耗部品および／または交換部品の形を取る前歯部（５）とを含む型であり、前記歯部（５）が後脚（１３）を含み、前記ホルダ（４）が、前記歯部（５）との相互作用中に前記脚（１３）を受容し、かくして、対向し相互作用する特殊な接面（１５）と少なくとも初期には前記歯部（５）およびホルダ（４）に沿って配設される逃げ面（１６）とを含む予め定められた接続ジオメトリを介して、発生する力（Ｆｓ、Ｆｃ、Ｆｐ）を吸収するために共通継手（Ａ、Ｂ、Ｃ、Ｄ）を達成するように設計された空腔（１４）を含み、前記継手（Ａ、Ｂ、Ｃ、Ｄ）の少なくとも前部（Ｃ）に沿って前記歯脚（１３）および空腔（１４）が、突起アーム（３１、３２、３３、３４）および各々突起アーム（３１、３２、３３、３４）と相互作用する溝（２４、２８、２９、３０）を含むマルチアーム形の好ましくは十字形の断面（Ｔ１）を有し、前記ホルダ（４）に対する前記歯部（５）の締付けおよび調整可能な予張力付加を前記空腔（１４）の長手方向対称軸Ｙに沿って基本的に軸方向に達成するために、張力付加装置（４１）が前記空腔（１４）の後部（１９）に配設されて成る歯システム。
【請求項２】
前記突起アーム（３１、３２、３３、３４）が、少なくとも一つの基本的に垂直方向に配設されたアーム（３１）またはヒール（３４）と、二つの基本的に横方向を向いた翼部（３２、３３）とを含む、請求項１に記載の歯システム（１）。
【請求項３】
前記突起アーム（３１、３２、３３、３４）が、基本的に垂直方向に配設された上部アーム（３１）と、基本的に垂直方向に配設された下部ヒール（３４）と、二つの基本的に水平な横方向翼部（３２、３３）とを含む、請求項１に記載の歯システム（１）。
【請求項４】
前記歯脚（１３）が後方収束断面（Ｔ２）を有する、請求項１、２、または３に記載の歯システム（１）。
【請求項５】
前記空腔（１４）が、前記ホルダ（４）の内向きに収束する切欠き（１４）として設計される、請求項４に記載の歯システム（１）。
【請求項６】
前記空腔（１４）が、前記ホルダ（４）の頂面に沿った後向き（１９）および上向き（２４）の開口切欠き（１４）によって構成される、請求項１ないし５のいずれか一項に記載の歯システム（１）。
【請求項７】
前記空腔（１４）の後部（１９）が、相互に基本的に垂直に配設された長さ方向側壁（２２）と底面（２３）とから成り、この部分（１９）の断面が基本的にＵ字形になるように前記空腔（１４）が上向きおよび後方に開口して成る、請求項１ないし６のいずれか一項に記載の歯システム（１）。
【請求項８】
前記空腔（１４）の中間部（２０）内の断面（Ｔ２）が、基本的に丸みを帯びた隅（２２）を持つ切頭下部三角形部分を含み、鈍角下面が空腔（１４）の底面（２３）を形成し、断面（Ｔ２）の下隅（２２）が好ましくは長さ方向の逃げ面（１６）を含む一方、前記断面（Ｔ２）の上方延長部が主として、歯脚（１３）の側面（Ｄ１、Ｄ２）と共に相互作用する接触ゾーン（１５）を形成するように意図された内側に傾斜する長さ方向側面（２５）によって形成され、かつ、その後、上向きに開口する上部切欠きネック（２４）を形成する相互に特定の距離を置いた長さ方向の基本的に垂直な側壁（２６）によって形成される、請求項１ないし７のいずれか一項に記載の歯システム（１）。
【請求項９】
前記空腔（１４）の前部（２１）内の前記溝（２４、２８、２９、３０）が各々、前記空腔（１４）内から前記軸対称軸線Ｙに対して前方に前記切欠き断面（Ｔ１）の外向きの膨張を含む、請求項１ないし８のいずれか一項に記載の歯システム（１）。
【請求項１０】
前記空腔（１４）の中間部（２０）が、一部には前記歯脚（１３）の下方側面（Ｈ１、Ｈ２）と前記空腔底面（２３）部の前記空腔（１４）の長さ方向側面（２２）との間に配設され、かつ一部には前記歯部（５）の背部（３７）の側面（３９）と前記空腔（２４）の長さ方向上方側面（２６）との間、および前記歯脚（１３）の下部側面（Ｅ１、Ｅ２）と前記空腔（１４）の底面（２３）との間に配設された遊び（１６）を有する、請求項１ないし９のいずれか一項に記載の歯システム（１）。
【請求項１１】
前記歯部（５）が、前記開口切欠き（２４）から突出する背部（３７）を含む、請求項６と組み合わせた請求項１ないし１０のいずれか一項に記載の歯システム（１）。
【請求項１２】
前記歯部（５）の背部（３７）に二次材料補強（３６）が配設される、請求項１１に記載の歯システム（１）。
【請求項１３】
前記接続部品（４、５）間の継手（Ａ、Ｂ、Ｃ、Ｄ）の後部（Ｄ）に沿って、接面（１５）が前記長さ方向対称軸Ｙに対して鋭角δに、つまり１０°未満に、またはそれに平行に配設される、請求項１に記載の歯システム（１）。
【請求項１４】
前記歯部（５）またはホルダ（４）が突起トルクヒール（３４）を含み、前記対向接続部品（４または５）が対応する陥凹（３０）を含み、前記ヒール（３４）と相互作用して、前記軸対象軸線Ｙに垂直に衝撃を与える横方向衝撃力（Ｆｐ）を吸収する、請求項１ないし１３のいずれか一項に記載の歯システム（１）。
【請求項１５】
前記突起アーム（３１、３２、３３、３４）が、一つの基本的に多少前方に傾斜し上向きに対称的に配設された歯先（３１）と、前記歯先（３１）の両側に対称な二つの基本的に水平な横方向翼部（３２、３３）と、基本的に垂直方向に下向きに設計されたヒール（３４）とによって構成される、請求項１ないし１４のいずれか一項に記載の歯システム（１）。
【請求項１６】
前記ホルダ（４）および前記歯部（５）の組立後に、それらの間の接合（Ｃ）の開始時に衝撃ゾーン（Ａ、Ｂ）が共通停止ゾーンを形成し、その停止面（１５）が前記ホルダ（４）の前面（Ａ）と前記歯部（５）の対向後面（Ｂ）とを含み、前記ホルダ（４）の前記前面（Ａ）と接触する前記歯部（５）の表面（Ｂ）の大部分が、前記ホルダ（４）の最前部の直前に位置する想像垂直面（ＸＺ）のホルダ（４）と同じ側に位置する、請求項１ないし１５のいずれか一項に記載の歯システム（１）。
【請求項１７】
負荷（Ｆｓ、Ｆｃ、Ｆｐ）およびその結果生じるトルクの基本的に大部分が、主に前記継手（Ｃ）の前部で前記接面（１５）を介して吸収される、請求項１ないし１６のいずれか一項に記載の歯システム（１）。
【請求項１８】
ウィンチ力（Ｆｓ）の吸収およびウィンチ力の結果生じるトルクの吸収のための接触ゾーンが、歯部（５）の二つの横方向翼部（３２、３３）の底部接面（Ｆ１およびＦ２）および前記歯脚（１３）の頂部の上部接面（Ｄ１およびＤ２）に沿って配設される、請求項２ないし１７のいずれか一項に記載の歯システム（１）。
【請求項１９】
剪断力（Ｆｃ）の吸収および剪断力の結果生じるトルクの吸収のための接触ゾーンが、歯部（５）の二つの横方向翼部（３２、３３）の上部接面（Ｂ１およびＢ２）および前記歯脚（１３）の下部側面の下部接面（Ｅ１およびＥ２）に沿って配設される、請求項２ないし１８のいずれか一項に記載の歯システム（１）。
【請求項２０】
横方向力（Ｆｐ）の吸収および横方向力の結果生じるトルクの吸収のための接触ゾーンが、所定の力（Ｆｐ）の衝撃の方向に応じて、トルクヒール（３４）の少なくとも基本的に垂直な長さ方向接面（Ｇ２）、歯脚（１３）の頂部の少なくとも一つの上部の傾斜した長さ方向接面（Ｄ１）、歯部（５）の横方向翼部（３３）の一方の少なくとも一つの下部の基本的に水平な横方向接面（Ｆ２）、歯部（５）の他方の横方向翼部（３２）の少なくとも一つの上部の傾斜した接面（Ｂ１）、および歯部の他方の横方向翼部（３２）の少なくとも一つの上部の基本的に水平な横方向接面（Ｃ１）に沿って配設され、あるいは反対方向からの力（Ｆｐ）の場合、基本的に対応する接面（Ｇ１、Ｄ２、Ｆ１、Ｂ２およびＣ２）を介する、請求項２ないし１９のいずれか一項に記載の歯システム（１）。
【請求項２１】
前記横方向力（Ｆｐ）および剪断力（Ｆｃ）および垂直力（Ｆｓ）の、軸対称軸線Ｙおよび支点に対する、好ましくは接続部品（４、５）間の継手に生じる捩れの中心となるヒール（３４）に対するてこ比が、軸対称軸線Ｙに沿って前記支点からの歯部（５）の突起長が第一てこアーム（ｂ）を画定し、かつ前記ホルダ（４）内に挿入された歯脚（１３）の軸対称軸線Ｙに沿った前記支点からの長さが第二てこアーム（ｒ）を画定する場合に、１未満であり、つまり（ｂ）／（ｒ）＜１である、請求項２ないし２０のいずれか一項に記載の歯システム（１）。
【請求項２２】
前記ホルダ（４）の後面（１７）の着脱自在に取付可能な締着装置（４１）が、前記空腔（１４）の開口後部（１９）に前記歯脚（１３）の端面（５２）に接して嵌合するように設計された取付装置（４２）と、歯部（５）に配設された凹部またはフック装置（６１）と相互作用するための前爪またはフック（５４）を持つ、前記取付装置（４２）を貫通して配設されるねじ（５５）切りボルト（５３）と、マルチアーム形状および調整可能な予張力付加を通して、前記ホルダ（４）における前記交換可能な歯部（５）による予め定められた位置での動的定着性および信頼できるポジショニングを達成するための弾性体（６０）およびロック機構（５９）を含む後部予張力付加およびロック装置（５６）とを含む、請求項１ないし２１のいずれか一項に記載の歯システム（１）。
【請求項２３】
前記歯システム（１）が、空腔（１４）内の継手（Ａ、Ｂ、Ｃ、Ｄ）の後部（Ｄ）に適切には硬質金属製の取外し可能なインサートを含み、前記インサートが相互作用する接続部品（４、５）間の表面力を吸収する、請求項１ないし２２のいずれか一項に記載の歯システム（１）。
【請求項２４】
作業面（Ｗ）からの塊の排除および分解のための前記土工機（３）、前記工具（２）、および前記磨耗および／または交換部品（５）が、交換可能な磨耗歯（５）を持つ浚渫機カッタ（３）のボアビット（２）によって特に例示される、請求項１ないし２３のいずれか一項に記載の歯システム（１）。